(57)【要約】【課題】仮に一対の係合爪と係合溝の係合が緩んだり外れたりしても、残りの一対の係合爪と係合溝の係合により、チューブの挟持を維持でき、また、チューブへの後付けが容易である医療用クランプ及び医療用具を提供すること。【解決手段】本体（２）は、チューブ（Ｔ）を装着する方向と略平行の一端部に二つの係合溝（６）を形成し、前記封止部材（３）は、チューブ（Ｔ）を装着する方向と略平行の一端部に、当該一端部から略垂直に立ち上がる二つの係合部（８）を突設し、当該係合部（８）には前記係合溝（６）に対応する係合爪（９）を形成し、前記係合部（８）は、前記本体（２）と前記封止部材（３）を閉じたときに、前記本体（２）天面から突出するように把手（１２）が形成され、前記係合爪（９）は前記本体（２）天面ないし上側部から係合溝（６）に着脱可能に係合できるように形成した医療用クランプ（１）。【選択図】図１
0003118533.tif 000002
【実用新案登録請求の範囲】
【請求項１】
ヒンジ部（４）を介して本体（２）と封止部材（３）が一体に形成され、
前記本体（２）は、チューブ（Ｔ）を装着する方向と略平行の一端部に二つの係合溝（６）を形成し、
前記封止部材（３）は、チューブ（Ｔ）を装着する方向と略平行の一端部に、当該一端部から略垂直に立ち上がる二つの係合部（８）を突設し、当該係合部（８）には前記係合溝（６）に対応する係合爪（９）を形成し、
前記係合部（８）は、前記本体（２）と前記封止部材（３）を閉じたときに、前記本体（２）天面から突出するように把手（１２）が形成され、前記係合爪（９）は前記本体（２）天面ないし上側部から係合溝（６）に着脱可能に係合できるように形成したことを特徴とする医療用クランプ（１）。
【請求項２】
ヒンジ部（３４）を介して本体（３２）と封止部材（３３）が一体に形成され、
前記本体（３２）は、チューブ（Ｔ）を装着する方向と略平行の一端部に二つの係合爪（３９）を形成し、
前記封止部材（３３）は、チューブ（Ｔ）を装着する方向と略平行の一端部に、当該一端部から略垂直に立ち上がる二つの係合部（３８）を突設し、当該係合部（３８）には前記係合爪（３９）に対応する係合溝（３６）を形成し、
前記係合部（３８）は、前記本体（３２）と前記封止部材（３３）を閉じたときに、前記本体（３２）天面から突出する把手（４２）が形成され、前記係合溝（３６）と前記係合爪（３９）は、本体（３２）の側部で、着脱可能に係合できるように形成したことを特徴とする医療用クランプ（３１）。
【請求項３】
前記本体（２、３２）は、中腹部に凸状の挟持部（５、３５）が形成され、
前記封止部材（３、３３）は、中腹部に凸状の挟持部（７、３７）が形成され、
前記本体（２、３２）または前記封止部材（３、３３）に、チューブ（Ｔ）を装着する長さ方向と交差する両端部にチューブ装着溝（１０、４０）とチューブ保持部材（１１、４１）を形成し、
前記本体（２、３２）と封止部材（３、３３）を閉じたときに前記挟持部材（５、３５）と挟持部材（７、３７）は交互にチューブ（Ｔ）を挟持するように配置されている、請求項１ないし請求項２に記載の医療用クランプ（１、３１）。
【請求項４】
請求項１ないし請求項３に記載のクランプ（１、３１）をチューブ（Ｔ）の途中に装着した医療用具。
【考案の詳細な説明】
【技術分野】
【０００１】
本考案は、血液バッグ、プラズマフェレーシス用バッグ、自家輸血セット、高カロリー輸液バッグ、輸液バッグ、輸血、輸液セット、透析用回路等の医療用具を構成する液体移送チューブの途中に、後付けで装着される医療用クランプおよび当該医療用クランプを装着した医療用具の改良に関するものである。
【背景技術】
【０００２】
出願人は、特許文献１（実公平６−２８１３６）に記載の医療用クランプ（以下「クランプ」と略記する）を開示した。当該クランプは、ヒンジ部を介して本体と封止部材を一体に形成し、本体側にチューブを装着する方向と略平行の一端部に二つの係合溝を形成し、封止部材側にチューブを装着する方向と略平行の端部よりもやや内側に、略垂直に立ち上がる二つの係合部を突設し、当該係合部に前記係合溝に対応する係合爪を形成している。係合爪は、本体と封止部材を閉じたときに、封止部材の内側から本体の係合溝に、係合するように形成されているので、一度係合したら二度と開かない構造になっている。
【０００３】
また特許文献２、特許文献３にも、本体と封止部材を閉じたときに、一度係合したら二度と開かない構造のクランプの発明が開示されている。
特許文献２のクランプは、本体側にチューブを装着する方向と略平行の一端部に係合溝を形成し、封止部材側にチューブを装着する方向と略平行の端部に前記係合溝に対応する係合爪を突設している。しかし係合爪は、本体と封止部材を閉じたときに、本体天面より突出することなく、係合溝内に埋没するように本体の側部から係合する。
また特許文献３のクランプも、特許文献１のクランプと同様に、封止部材側にチューブを装着する方向と略平行の端部よりもやや内側に、略垂直に立ち上がる係合部を突設している。
【０００４】
特許文献１から特許文献３のクランプは、一度本体と封止部材を閉じると、特殊な工具等を用いないと、開放することができないため、誤って係合した場合に取り外しが困難であり、使用上不便である。
【特許文献１】実公平６−２８１３６号公報（図２、図３）
【特許文献２】実開平０２−１０８５３号公報（図１、図２）
【特許文献３】実公平０５−３６４３５号公報（図１、図２）
【考案の開示】
【考案が解決しようとする課題】
【０００５】
本考案が解決しようとする問題点は、一度本体と封止部材を閉じると、特殊な工具等を用いないと、開放することができないため、誤って係合した場合に取り外しが困難であり、使用上不便な点である。
【課題を解決するための手段】
【０００６】
そこで本考案者は、以上の課題を解決するために鋭意検討を重ねた結果、以下の考案に到達した。
［１］本考案は、ヒンジ部（４）を介して本体（２）と封止部材（３）が一体に形成され、
前記本体（２）は、チューブ（Ｔ）を装着する方向と略平行の一端部に二つの係合溝（６）を形成し、
前記封止部材（３）は、チューブ（Ｔ）を装着する方向と略平行の一端部に、当該一端部から略垂直に立ち上がる二つの係合部（８）を突設し、当該係合部（８）には前記係合溝（６）に対応する係合爪（９）を形成し、
前記係合部（８）は、前記本体（２）と前記封止部材（３）を閉じたときに、前記本体（２）天面から突出するように把手（１２）が形成され、前記係合爪（９）は前記本体（２）天面ないし上側部から係合溝（６）に着脱可能に係合できるように形成した医療用クランプ（１）を提供する。
［２］本考案は、ヒンジ部（３４）を介して本体（３２）と封止部材（３３）が一体に形成され、
前記本体（３２）は、チューブ（Ｔ）を装着する方向と略平行の一端部に二つの係合爪（３９）を形成し、
前記封止部材（３３）は、チューブ（Ｔ）を装着する方向と略平行の一端部に、当該一端部から略垂直に立ち上がる二つの係合部（３８）を突設し、当該係合部（３８）には前記係合爪（３９）に対応する係合溝（３６）を形成し、
前記係合部（３８）は、前記本体（３２）と前記封止部材（３３）を閉じたときに、前記本体（３２）天面から突出する把手（４２）が形成され、前記係合溝（３６）と前記係合爪（３９）は、本体（３２）の側部で、着脱可能に係合できるように形成した医療用クランプ（３１）を提供する。
［３］本考案は、前記本体（２、３２）は、中腹部に凸状の挟持部（５、３５）が形成され、
前記封止部材（３、３３）は、中腹部に凸状の挟持部（７、３７）が形成され、
前記本体（２、３２）または前記封止部材（３、３３）に、チューブ（Ｔ）を装着する長さ方向と交差する両端部にチューブ装着溝（１０、４０）とチューブ保持部材（１１、４１）を形成し、
前記本体（２、３２）と封止部材（３、３３）を閉じたときに前記挟持部材（５、３５）と挟持部材（７、３７）は交互にチューブ（Ｔ）を挟持するように配置されている、［１］ないし［２］に記載の医療用クランプ（１、３１）を提供する。
［４］本考案は、［１］ないし［３］に記載のクランプ（１、３１）をチューブ（Ｔ）の途中に装着した医療用具を提供する。
【考案の効果】
【０００７】
本考案のクランプ１は、本体２と封止部材３に、それぞれ対応する二対の係合爪９と係合溝６を形成し、係合部８は本体２と封止部材３を閉じたときに、本体２天面から突出するように把手１２が形成され、係合爪９は本体２天面ないし上側部から係合溝６に着脱可能に係合できるように形成しているので、（ａ）仮に一対の係合爪９と係合溝６の係合が緩んだり外れたりしても、残りの一対の係合爪９と係合溝６の係合で、チューブＴの挟持を維持できる。（ｂ）また把手１２を押すことにより、係合爪９が係合溝６から容易にはずれ、本体２と封止部材３を開放して、チューブＴの挟持を解除できる。このため必要なときに、チューブＴの挟持位置を容易に選択、変更できる。（チューブＴへの後付けが容易）
クランプ３１も、本体３２と封止部材３３に、それぞれ対応する二対の係合爪３９と係合溝３６を形成し、係合部３８は、本体３２と封止部材３３を閉じたときに、本体３２天面から突出する把手４２が形成され、着脱可能に係合できるように形成されているので、（ａ）仮に一対の係合爪３９と係合溝３６の係合が緩んだり外れたりしても、残りの一対の係合爪３９と係合溝３６の係合で、チューブＴの挟持を維持できる。（ｂ）また把手４２を押すことにより、係合爪３９が係合溝３６から容易にはずれ、本体３２と封止部材３３を開放して、チューブＴの挟持を解除できる。このため必要なときに、チューブＴの挟持位置を容易に選択、変更できる。（チューブＴへの後付けが容易）
【考案を実施するための最良の形態】
【０００８】
図１から図４は、本考案のクランプ１、３１の一例を示す概略図で、図１、図３はクランプ１、３１を開いた状態の斜視図、図２、図４はクランプ１、３１を閉じた状態の斜視図、図５はクランプ１を閉じた状態の一部拡大断面図である。
【０００９】
［クランプ１の構造］
クランプ１は、ヒンジ部４を介して本体２と封止部材３が一体に形成されている。
本体２は、チューブＴを装着する方向と略平行の一端部に二つの係合溝６を形成している。
封止部材３は、チューブＴを装着する方向と略平行の一端部に、当該一端部から略垂直に立ち上がる二つの係合部８を突設している。当該係合部８には前記係合溝６に対応する係合爪９を形成している。
係合部８は、本体２と前記封止部材３を閉じたときに、本体２天面から突出するように把手１２が形成され、係合爪９は本体２天面ないし上側部から係合溝６に着脱可能に係合できるように形成されている。
係合爪９は、図１の例示では係合部８の略中腹部に形成されているが、本体２天面ないし上側部から係合溝６に着脱可能に係合できる位置であれば、どこに形成しても良い。
クランプ１では、説明の便宜上、係合部８を形成したほうを本体２、係合溝６を形成したほうを封止部材３と称しているが、係合部８を形成したほうを封止部材３、係合溝６を形成したほうを本体２と称しても良い。
【００１０】
［クランプ３１の構造］
クランプ３１は、ヒンジ部３４を介して本体３２と封止部材３３が一体に形成されている。
本体３２は、チューブＴを装着する方向と略平行の一端部に二つの係合爪３９を形成している。
封止部材３３は、チューブＴを装着する方向と略平行の一端部に、当該一端部から略垂直に立ち上がる二つの係合部３８を突設し、当該係合部３８には前記係合爪３９に対応する係合溝３９を形成している。
係合部３８は、本体３２と封止部材３３を閉じたときに、本体３２天面から突出する把手４２が形成され、係合溝３６と係合爪３９は、本体３２の側部で、着脱可能に係合できるように形成されている。
係合溝３６は、図３の例示では、係合部３８の略中腹部に形成されているが、係合爪３９と本体３２の側部で、着脱可能に係合できる位置であれば、どこに形成しても良い。
クランプ３１では、説明の便宜上、係合部３８を形成したほうを封止部材３２、係合爪３９を形成したほうを本体３２と称しているが、係合部３８を形成したほうを本体３２、係合爪３９を形成したほうを封止部材３３と称しても良い。
【００１１】
［クランプ１、３１の共通構造］
クランプ１、３１はともに、本体２、３２の中腹部に凸状の挟持部５、３５が形成され、封止部材３、３３の中腹部に凸状の挟持部７、３７が形成されている。
本体２、３２または前記封止部材３、３３に、チューブＴを装着する長さ方向と交差する両端部にチューブ装着溝１０、４０とチューブ保持部材１１、４１を形成している。
本体２、３２と封止部材３、３３を閉じたときに前記挟持部材５、３５と挟持部材７、３７は交互にチューブＴを挟持するように配置されている。
図１から４の例示では、チューブ装着溝１０、４０とチューブ保持部材１１、４１を封止部材３、３３側に形成しているが、本体２、３２側に形成しても良い。
【００１２】
［クランプ１の使用例］
チューブＴを（クランプ１の）チューブ装着溝１０ないしチューブ保持部材１１に装着し、本体２を封止部材３方向へ押して閉めると（本体２と封止部材３を閉じる）、二本の係合爪９が本体２天面ないし上側部からそれぞれ係合溝６に係合する。チューブＴは、図５に例示するように挟持部５と７の双方に徐々に押圧され、これら挟持部５、７より本体２と封止部材３の底部へ押圧され、流体通路が完全に遮断される。
本体２と封止部材３を開放するには、図２に例示するように把手１２を、チューブＴの挟持箇所と反対方向（図２の矢印方向）に押すことにより、係合爪９が係合溝６より外れ、ヒンジ４により本体２と封止部材３を押し開こうとする力が働くので、本体２と封止部材３は容易に開放される。
【００１３】
［クランプ３１の使用例］
チューブＴを（クランプ１の）チューブ装着溝４０ないしチューブ保持部材４１に装着し、本体３２を封止部材３３方向へ押して閉めると（本体３２と封止部材３３を閉じる）、係合溝３６と係合爪３９は、本体３２の側部で係合する。チューブＴは、図５に例示したように流体通路が完全に遮断される。
本体３２と封止部材３３を開放するには、図４に例示するように係合部３８の把手４２を、チューブＴの挟持箇所と反対方向（図４の矢印方向）に押すことにより、係合爪３９が係合溝３６より外れ、ヒンジ３４により本体３２と封止部材３３を押し開こうとする力が働くので、本体３２と封止部材３３は容易に開放される。
【図面の簡単な説明】
【００１４】
【図１】本考案のクランプ１を開いた状態の斜視図
【図２】本考案のクランプ１を閉じた状態の斜視図
【図３】本考案のクランプ３１を開いた状態の斜視図
【図４】本考案のクランプ３１を閉じた状態の斜視図
【図５】本考案のクランプの閉じた状態の断面図
【符号の説明】
【００１５】
１、３１  クランプ
２、３２  本体
３、３３  封止部材
４、３４  ヒンジ部
５、３５  挟持部
６、３６  係合溝
７、３７  挟持部
８、３８  係合部
９、３９  係合爪
１０、４０  チューブ装着溝
１１、４１  チューブ保持部材
１２、４２  把手
【図１】
0003118533.tif 000003
【図２】
0003118533.tif 000004
【図３】
0003118533.tif 000005
【図４】
0003118533.tif 000006
【図５】
0003118533.tif 000007